(57)【要約】ＥＰＧ情報をサーバで統括管理することで、ＥＰＧ情報取得に要する時間を短縮する。【課題】ＥＰＧ情報を取得するためには、多くの時間を必要とするうえに、一度電源をオフにすると全てのＥＰＧ情報を取得し直さなければならない。或いは不揮発性メモリを具備するば、必要なメモリ容量が大きくなり、コストアップにつながりだけでなく、一度電源をオフにすると、次に電源を入れた時には、不揮発性メモリに保持されているＥＰＧ情報は古くなっている。【解決手段】共同住宅などで、各家庭のテレビ受信機をＥＰＧ情報管理サーバを中心にネットワーク接続し、各テレビ受信機が獲得したＥＰＧ情報をＥＰＧ情報管理サーバで統合的に保持する。各テレビ受信機は、新しいＥＰＧ情報を獲得すれば、そのＥＰＧ情報をＥＰＧ情報管理サーバに送り、未獲得のＥＰＧ情報があればＥＰＧ情報管理サーバからそのＥＰＧ情報を取得することができる。【選択図】図１
2005167664.tif 000002
【特許請求の範囲】
【請求項１】
番組情報を蓄積、保持する番組情報蓄積部と、１以上のテレビとネットワーク接続するネットワークＩ／Ｆ部とを有し、該ネットワークＩ／Ｆ部を介して接続された各テレビ受信機から番組情報を受け取り、該番組情報蓄積部に受け取った番組情報を格納する番組情報管理サーバである番組情報システム。
【請求項２】
テレビ放送波を選別受信するチューナ部と、該チューナ部で受信されたテレビ放送信号から番組情報を抽出する番組情報抽出部を有し、未獲得の番組情報を該チューナ部と該番組情報抽出部を用いてテレビ放送波より獲得することを特徴とする請求項１に記載の番組情報システム。
【請求項３】
時計部を有し、放送波より番組情報を抽出する際に番組情報を抽出した時間を番組情報と共に上記番組情報蓄積部に格納することを特徴とする請求項２に記載の情報システム。
【請求項４】
テレビ放送波を選別受信するチューナ部と、該チューナ部で受信されたテレビ放送信号から番組情報を抽出する番組情報抽出部と、抽出された番組情報を格納する番組情報記憶部と、番組情報を管理する番組情報管理サーバとネットワーク接続するためのネットワークＩ／Ｆ部を有し、番組情報抽出部にて抽出された番組情報を番組情報管理サーバに送信するテレビ受信機である番組情報システム。
【請求項５】
時計部を有し、放送波より番組情報を抽出する際に番組情報を抽出した時間を記憶し、該番組情報を上記番組情報管理サーバに送信する際に、上記時間情報も同時に送信することを特徴とする請求項４に記載の番組情報システム。
【請求項６】
請求項１乃至３に記載の上記番組情報管理サーバと請求項４又は５に記載の上記テレビ受信機が、上記ネットワークＩ／Ｆ部を介して接続されることを特徴とする番組情報システム。
【請求項７】
上記テレビ受信機が未獲得の番組情報を上記番組情報管理サーバに要求し、上記番組情報管理サーバが、要求された番組情報を上記ネットワークＩ／Ｆ部を介して該テレビ受信機に送信することができることを特徴とする請求項６に記載の番組情報システム。
【請求項８】
番組情報管理サーバは、該番組情報に添付された時間情報を比較することで、番組情報蓄積部において最新の番組情報を保持できることを特徴とする請求項６又は７に記載の番組情報システム。
【請求項９】
テレビ放送波を選別受信するチューナ部と、該チューナ部で受信されたテレビ放送信号から番組情報を抽出する番組情報抽出部と、該番組情報を蓄積、保持する番組情報蓄積部と、１以上のテレビとネットワーク接続するネットワークＩ／Ｆ部とを有し、該ネットワークＩ／Ｆ部を介して接続された各テレビ受信機が番組情報蓄積部に格納された番組情報を参照して番組情報を表示できることを特徴とする番組情報システム。
【発明の詳細な説明】
【技術分野】
【０００１】
本発明は、番組の主情報に番組に関する情報を多重して送信されるテレビ放送において、その番組情報を抽出して記憶する番組情報記憶装置に関する。
【背景技術】
【０００２】
近年、テレビジョン放送において、番組の主情報（映像、音声等）に番組表を作成するために必要な情報（番組表情報）を多重化して放送し、受信装置側でこの番組表情報を基に番組表を作成しこれを画面上に表示し、視聴者が画面上において番組の選択、予約を行うＥＰＧ（Electronic  Program  Guide）が実用化されている。
【０００３】
例えば、ＭＰＥＧ２を用いたデジタル放送では、視聴者が番組を選択、予約する際の手助けとなる情報としてＳＩ（Service  Information）が伝送される。これは、放送局毎に、一定時間間隔で送出される情報であり、放送局を識別するためのサービスＩＤ、番組を識別するための番組ＩＤ、番組タイトル、番組の放送開始時間、番組の放送時間長が含まれる。また、番組が属するグループ（番組の種別など）を識別するグループＩＤが含まれる場合もある。
【０００４】
番組情報が記憶できるテレビ放送受信器としては、一般にテレビ、ビデオレコーダがある。一般にテレビは図９に示すようなシステム構造を有している。
【０００５】
アンテナ（１）は、屋外において所定の方向に向けて配置されており、デジタル放送波を受信する。このアンテナ（１）は、一般に周波数変換器を備え、受信／周波数変換した信号をチューナ（２）に与える。
【０００６】
チューナ（２）は、受信した高周波デジタル変調信号のうちから特定の周波数の信号を取り出す。すなわち、デジタル放送の複数のトランスポンダのなかから一つを選択する処理を行う。また、チューナ（２）は、復調回路、逆インターリーブ回路、誤り訂正回路などを備えることにより、選択したデジタル変調信号を復調してトランスポート・ストリームを出力する。
【０００７】
デマルチプレクサ（ＤＥＭＵＸ）（３）は、前記トランスポート・ストリームをＭＰＥＧ２（Ｍｏｖｉｎｇ  Ｐｉｃｔｕｒｅ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチムレクサ（３）は、ビデオストリームとオーディオストリームをＡＶデコーダ（４）に供給し、ＰＳＩ／ＳＩ等をシステムコントローラ（１２）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。またトランスポート・ストリームの選定（トランスポンダの選定）もＰＳＩ／ＳＩの情報に基づいて行うことができる。更に、ＳＩには番組情報（番組名、番組開始時間、番組継続時間、番組内容情報、番組ジャンル情報当）が含まれている。これらの情報はシステムコントローラ（１２）によって、メモリ（１５）に格納され、ＥＰＧ表示や番組予約等において利用される。
【０００８】
映像処理回路（５）はＡＶデコーダ（４）から映像データを受け取り、Ｄ／Ａ変換を行い、例えばＮＴＳＣフォーマットのコンポジット信号に変換する。音声信号処理回路（６）はＡＶデコーダ（４）から出力された音声データを受け取り、Ｄ／Ａ変換を行い、右（Ｒ）音のアナログ信号及び左（Ｌ）音のアナログ信号を生成する。映像出力回路（７）及び音声出力回路（８）は出力抵抗、増幅器等を備え、映像出力回路（７）からは受信映像が表示部（１１）を通じて出力され、音声出力回路（８）からはスピーカ（９）を通じて音声が出力される。
【０００９】
ＯＳＤ（オンスクリーンディスプレイ）表示回路（１３）は、システムコントローラ（１２）から出力指示された文字情報に基づく映像信号を加算器（１４）に出力する。加算器（１４）は上記映像信号を映像処理回路（５）から出力される映像信号に組み込む処理を行う。上記ＯＳＤ表示回路（１３）により、前述のＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される。
【００１０】
メモリ（例えば、ＲＡＭ、ＲＯＭ、ＥＥＰＲＯＭ、フラッシュメモリ等）（１５）には、番組情報（ＥＰＧ画面を構成するためのサービス情報等）、ユーザ入力情報、システムコントローラ（１２）により実行されるプログラム（予約処理プログラム等）、番組予約情報（開始時間、終了時間又は番組継続時間、受信チャンネル、録画／視聴の種別情報等）などが格納される。
【００１１】
リモコン送信機（１７）は、当該放送受信装置に指令を送出するための送信機である。このリモコン送信機（１７）に設けられた図示しないキーを操作すると、そのキーに対応した指令を意味する信号光（リモコン信号）が図示しない発光部から送出される。リモコン受光部（１６）は、上記信号光を受光し、これを電機信号に変換してシステムコントローラ（１２）に与える。
【００１２】
システムコントローラ（１２）は、上記リモコン送信機（１７）などによるユーザ指示に対応した各種処理を行う。
【特許文献１】特開平１０−１３７５６号公報
【発明の開示】
【発明が解決しようとする課題】
【００１３】
上記の如く従来のデジタルテレビでは、視聴しているチャンネル以外のチャンネルのＥＰＧ情報は、再送周期が遅いために、その取得に長い時間を要する。従って、テレビの電源を入れてから、視聴中のチャンネル以外のチャンネルのＥＰＧの表示がされるまで、かなりの時間を要することになる。
【００１４】
同様に、例えば、ＢＳデジタル放送の番組を視聴しているときには、ＣＳデジタル放送のＥＰＧ情報を取得することができないので、テレビの電源を入れた後に最初のＢＳデジタル放送のチャンネルからＣＳデジタル放送のチャンネルに切り換えるか、あるいはその逆でＣＳデジタル放送のチャンネルからＢＳデジタル放送のチャンネルに切り換えた場合に、ＥＰＧ情報が表示されるまで長い時間を待たなければならない。
【００１５】
さらに、上記のように長い時間をかけて全てのチャンネルのＥＰＧ情報を取得しても、その全てのＥＰＧ情報を蓄積、保持しておくためには大容量のメモリ（揮発性メモリ及び不揮発性メモリ）が必要になるという問題がある。
【００１６】
また、一度取得したＥＰＧ情報を不揮発性メモリに記憶しておくことで、一旦電源オフした後に再び電源を入れた場合に、取得に時間のかかるＥＰＧ情報を不揮発性メモリに蓄積されたＥＰＧ情報より取得する事で、素早くＥＰＧ情報を表示する方法が利用されう場合がある。
【００１７】
しかし、この方法を利用しても、以前に電源オフする前に取得されていなかったＥＰＧ情報は、不揮発性メモリに記憶されていないので、電源を入れた後に放送波から取得する必要がある。
【００１８】
さらに、電源オフしてから次に電源を入れるまでに長い時間が経過している場合には、不揮発性メモリに記憶されているＥＰＧ情報は古いデータになっている。従って、表示したい番組のＥＰＧ情報が不揮発性メモリに記憶されているＥＰＧ情報に含まれていない場合や、放送スケジュールが変更になる場合などが発生する可能性がある。この場合、最新のＥＰＧ情報を取得する必要があり、結局、従来通り、電源を入れた後に放送波から取得することになり、最新のＥＰＧ情報の表示に時間がかかるという問題が発生することにかわりはない。
【課題を解決するための手段】
【００１９】
本願発明は、上記問題に鑑みなされたものであり、番組情報を蓄積、保持する番組情報蓄積部と、１以上のテレビとネットワーク接続するネットワークＩ／Ｆ部とを有し、該ネットワークＩ／Ｆ部を介して接続された各テレビ受信機から番組情報を受け取り、該番組情報蓄積部に受け取った番組情報を格納する番組情報管理サーバである番組情報システムである。
【００２０】
さらに、テレビ放送波を選別受信するチューナ部と、該チューナ部で受信されたテレビ放送信号から番組情報を抽出する番組情報抽出部を有し、未獲得の番組情報を該チューナ部と該番組情報抽出部を用いてテレビ放送波より獲得するように構成することもできる。
【００２１】
さらに、時計部を有し、放送波より番組情報を抽出する際に番組情報を抽出した時間を番組情報と共に上記番組情報蓄積部に格納するように構成することもできる。
【００２２】
また、本願発明は、テレビ放送波を選別受信するチューナ部と、該チューナ部で受信されたテレビ放送信号から番組情報を抽出する番組情報抽出部と、抽出された番組情報を格納する番組情報記憶部と、番組情報を管理する番組情報管理サーバとネットワーク接続するためのネットワークＩ／Ｆ部を有し、番組情報抽出部にて抽出された番組情報を番組情報管理サーバに送信するテレビ受信機である番組情報システムでもある。
【００２３】
さらに、時計部を有し、放送波より番組情報を抽出する際に番組情報を抽出した時間を記憶し、該番組情報を上記番組情報管理サーバに送信する際に、上記時間情報も同時に送信するように構成することもできる。
【００２４】
また、本願発明は、上記番組情報管理サーバと上記テレビ受信機が、上記ネットワークＩ／Ｆ部を介して接続されることを特徴とする番組情報システムでもある。
【００２５】
さらに、上記テレビ受信機が未獲得の番組情報を上記番組情報管理サーバに要求し、上記番組情報管理サーバが、要求された番組情報を上記ネットワークＩ／Ｆ部を介して該テレビ受信機に送信することができるように構成することもできる。
【００２６】
さらに、番組情報管理サーバは、該番組情報に添付された時間情報を比較することで、番組情報蓄積部において最新の番組情報を保持できるように構成することもできる。
【００２７】
また、本願発明は、テレビ放送波を選別受信するチューナ部と、該チューナ部で受信されたテレビ放送信号から番組情報を抽出する番組情報抽出部と、該番組情報を蓄積、保持する番組情報蓄積部と、１以上のテレビとネットワーク接続するネットワークＩ／Ｆ部とを有し、該ネットワークＩ／Ｆ部を介して接続された各テレビ受信機が番組情報蓄積部に格納された番組情報を参照して番組情報を表示できることを特徴とする番組情報システムでもある。
【発明の効果】
【００２８】
上記の如く、本願発明による番組情報システムを使用した場合、従来技術による単体のデジタルテレビよりもＥＰＧ情報を迅速に獲得することができる。また、ＥＰＧ情報管理サーバにＥＰＧ情報のためのメモリを具備し、統括的にＥＰＧ情報を記憶、保持できるため、システム全体としてもメモリの必要容量を低減することができる。
【００２９】
さらには、テレビ受信機そのものにＥＰＧ情報用のメモリ領域を設けなくても、ＥＰＧ情報管理サーバに保持されている情報を参照するだけで最新の情報を得ることができる。
【００３０】
特に、本発明は共聴システムなどを有する共同住宅においては構築が容易であり、ネットワークに接続できるテレビ受信機の数が多くなるほど、すなわち規模の大きな共同住宅程、本発明の効果は増大する。
【発明を実施するための最良の形態】
【００３１】
本発明では、ＥＰＧ情報管理サーバ及び、それと相互に通信を行う複数のテレビ受信機から構成され、その通信手段は有線・無線等その方式を問わない。以下、図面に従って、本発明を実施するための形態について説明を行う。
（実施例１）
第一の実施例は、図１に示す如く、各テレビ受信機がネットワークを介してＥＰＧ情報管理サーバに接続され、ＥＰＧ情報をＥＰＧ情報管理サーバにて統合的に管理する。図１では、各テレビは、夫々アンテナと接続されているが、集合住宅における共聴システムのように1本のアンテナを共有していても構わない。
【００３２】
第一の実施例は、図１に示す構成となっている。テレビ受信機側（１０）では、アンテナ（１）は、屋外において所定の方向に向けて配置されており、デジタル放送波を受信する。このアンテナ（１）は、一般に周波数変換器を備え、受信／周波数変換した信号をチューナ（２）に与える。
【００３３】
チューナ（２）は、受信した高周波デジタル変調信号のうちから特定の周波数の信号を取り出す。すなわち、デジタル放送の複数のトランスポンダのなかから一つを選択する処理を行う。また、チューナ（２）は、復調回路、逆インターリーブ回路、誤り訂正回路などを備えることにより、選択したデジタル変調信号を復調してトランスポート・ストリームを出力する。
【００３４】
デマルチプレクサ（ＤＥＭＵＸ）（３）は、前記トランスポート・ストリームをＭＰＥＧ２（Ｍｏｖｉｎｇ  Ｐｉｃｔｕｒｅ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチムレクサ（３）は、ビデオストリームとオーディオストリームをＡＶデコーダ（４）に供給し、ＰＳＩ／ＳＩ等をシステムコントローラ（１２）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。
【００３５】
またトランスポート・ストリームの選定（トランスポンダの選定）もＰＳＩ／ＳＩの情報に基づいて行うことができる。更に、ＳＩには番組情報（番組名、番組開始時間、番組継続時間、番組内容情報、番組ジャンル情報当）が含まれている。これらの情報はシステムコントローラ（１２）によって、メモリ（１５）内のＥＰＧ情報記憶部（１９）に記憶され、ＥＰＧ表示や番組予約等において利用される。
【００３６】
映像処理回路（５）はＡＶデコーダ（４）から映像データを受け取り、Ｄ／Ａ変換を行い、例えばＮＴＳＣフォーマットのコンポジット信号に変換する。音声信号処理回路（６）はＡＶデコーダ（４）から出力された音声データを受け取り、Ｄ／Ａ変換を行い、右（Ｒ）音のアナログ信号及び左（Ｌ）音のアナログ信号を生成する。映像出力回路（７）及び音声出力回路（８）は出力抵抗、増幅器等を備え、映像出力回路（７）からは受信映像が、ＣＲＴ、液晶パネル、ＰＤＰなどのディスプレイである表示部（１１）を通じて出力され、音声出力回路（８）からはスピーカ（９）を通じて音声が出力される。
【００３７】
ＯＳＤ（オンスクリーンディスプレイ）表示回路（１３）は、システムコントローラ（１２）から出力指示された文字情報に基づく映像信号を加算器（１４）に出力する。加算器（１４）は上記映像信号を映像処理回路（５）から出力される映像信号に組み込む処理を行う。上記ＯＳＤ表示回路（１３）により、前述のＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される。
【００３８】
メモリ（例えば、ＲＡＭ、ＲＯＭ、ＥＥＰＲＯＭ、フラッシュメモリ等）（１５）には、番組情報（ＥＰＧ画面を構成するためのサービス情報等）、ユーザ入力情報、システムコントローラ（１２）により実行されるプログラム（予約処理プログラム等）、番組予約情報（開始時間、終了時間又は番組継続時間、受信チャンネル、録画／視聴の種別情報等）などが格納される。
【００３９】
リモコン送信機（１７）は、当該放送受信装置に指令を送出するための送信機である。このリモコン送信機（１７）に設けられた図示しないキーを操作すると、そのキーに対応した指令を意味する信号光（リモコン信号）が図示しない発光部から送出される。リモコン受光部（１６）は、上記信号光を受光し、これを電機信号に変換してシステムコントローラ（１２）に与える。
【００４０】
システムコントローラ（１２）は、上記リモコン送信機（１７）などによるユーザ指示に対応した各種処理を行う。
【００４１】
視聴者からの操作によりＥＰＧを表示する場合には、システムコントローラ（１２）は、ＥＰＧ情報記憶部（１９）からＥＰＧ情報を読み出し、取得できていないＥＰＧ情報があればネットワークＩ／Ｆ部（１８）を介してＥＰＧ情報管理サーバー（２０）に不足している情報がないかを問い合わせる。情報管理サーバー（２０）に所望の情報がある場合は、ネットワークＩ／Ｆ部（１８）を介してその情報を獲得し、ＥＰＧ情報記憶部（１９）に記憶する。
【００４２】
このようにして得られたＥＰＧ情報は、上記の如く、ＯＳＤ表示回路（１３）を介して表示部（１１）に表示される。
【００４３】
また、テレビ受信機において、新たにＥＰＧ情報が獲得された場合は、獲得と同時に、あるいは獲得後に所定のタイミングで（例えば1分後など）ネットワークＩ／Ｆ部（１８）を介してＥＰＧ情報をＥＰＧ情報管理サーバ（２０）に送信する。
【００４４】
一方、ＥＰＧ情報管理サーバ（２０）では、複数のテレビ受信機とネットワークＩ／Ｆ部（２５）を介して通信が可能であり、各テレビ受信機から上記の如く送られてくるＥＰＧ情報を受信してＥＰＧ情報蓄積部（２１）に記憶する。また、逆にテレビ受信機よりリクエストのあるＥＰＧ情報をＥＰＧ情報蓄積部（２１）より読み出し、ネットワークＩ／Ｆ部（２５）を介して送信する。
【００４５】
また、電源監視部（２２）は、各テレビ受信機の電源状態を監視し、全てのテレビ受信機が電源オフとなった場合に、ＥＰＧ情報蓄積部（２１）から全ＥＰＧ情報を読み出して不揮発性メモリ（２４）に書き込み、テレビ受信機の電源状態監視に不要な部分への電力供給をオフにする。
【００４６】
具体的には、システム制御部（２３）がネットワークＩ／Ｆ部（２５）とテレビ受信機側のネットワークＩ／Ｆ部（１８）との信号応答をチェックし、リンクが全く確立されていない場合は、電源監視部（２２）において、全てのテレビ電源がオフであると判断する。全てのテレビの電源がオフであると判断されると、電源監視部（２２）以外への電力供給をオフにし、間欠的にシステム制御部（２３）とネットワークＩ／Ｆ部（２５）に電力供給し、テレビ受信機側のネットワークＩ／Ｆ部（１８）との信号応答をチェックする。これにより、ＥＰＧ情報管理サーバ内の消費電力を削減するここができる。
【００４７】
或いは、電源監視部（２２）が、直接各テレビ受信機と接続される電源監視ラインを設けて、各テレビ受信機の電源状態を監視するようにしても構わない。この場合、全てのテレビ受信機の電源がオフであると判断されると、ＥＰＧ情報管理サーバ内の電源監視部（２２）以外の全ての部分への電力供給を停止する。そして、いずれかのテレビ受信機の電源がオンになった場合に電力供給を再開するようにする。
【００４８】
システム制御部（２３）は、上記の動作を制御し、テレビ受信機の電源がオンになった場合には、直に電源監視部にネットワークＩ／Ｆ部（２５）、ＥＰＧ情報蓄積部（２１）、不揮発性メモリ（２４）に対する電源供給を開始すると同時に、不揮発メモリ（２４）に記憶されているＥＰＧ情報をＥＰＧ情報蓄積部（２１）にコピーする。
【００４９】
次にEPG情報管理サーバの動作に関して、図２を用いて説明する。EPG情報管理サーバでは、初期状態において、EPG情報蓄積部（２１）には何もEPG情報が蓄積されていない。ネットワーク接続されている少なくともどれか一つのテレビ受信機が電源オンされると（ステップ２０１）、ＥＰＧ管理サーバ内の各部への電力供給が開始され（ステップ２０２）。不揮発性メモリ（２４）に記憶されている電力供給オフ直前のＥＰＧ情報をＥＰＧ情報蓄積部（２２）にコピーする（ステップ２０３）。次に、テレビ受信機がＥＰＧ情報を取得すると、ネットワークＩ／Ｆ（１８）（２５）を介してそのテレビ受信機からＥＰＧ情報が転送されてくる（ステップ２０４）。ＥＰＧ情報蓄積部（２１）では、転送されてきた情報で、既にＥＰＧ情報蓄積部（２１）に蓄積されているＥＰＧ情報の更新を行う（ステップ２０５）。
【００５０】
このとき、既に蓄積されているデータと転送されてきたデータの日付を比較し、転送されてきたデータの方が新しい場合は、転送されてきたデータで蓄積されているデータを更新する。同じ日時、チャンネルネットワークのＥＰＧ情報が転送されてきた場合は、古いデータを削除し、新しいデータを記憶する。ただし、新しいデータと古いデータが全く同じである場合、例えば各々のデータに付与されたＣＲＣが完全に一致する場合等は、このような削除・登録動作は行わなくても構わない。転送されてきたデータの方が蓄積されているデータより古い場合は、データの更新を行わない。番組の編成は、しばしば変更されることがあり、新しいデータの方が最新のデータである。
【００５１】
ここで、ＥＰＧデータに関する日時は、放送データに日時が含まれている場合は放送されてきた日時であっても構わないし、そうでない場合は、テレビ受信機がＥＰＧデータを獲得した日時であっても構わない。
【００５２】
また、テレビ受信機がＥＰＧを表示するために必要なＥＰＧ情報を要求してくる場合があり、ＥＰＧ情報の要求があった場合は（ステップ２０６）、要求された日時、チャンネルネットワークに該当するＥＰＧ情報がＥＰＧ情報管理サーバ内にあるかどうか確認をし（ステップ２０７）、ある場合は所望のＥＰＧ情報を、ＥＰＧ情報蓄積部から読み出して（ステップ２０８）、ＥＰＧ情報を要求してきたテレビ受信機に送信する（ステップ２０９）。
【００５３】
一方、所望のＥＰＧ情報を所有していない場合は（ステップ２０７）、その旨をテレビ受信機に対して通知する。
【００５４】
また、全てのテレビ受信機の電源がオフになった場合（ステップ２１０）、ＥＰＧ情報蓄積部（２１）に記憶されているＥＰＧ情報は、不揮発性メモリ（２４）に書き込まれ（ステップ２１１）、ＥＰＧ情報管理サーバ内の電源監視部（２２）を除く全ての部分への電源供給を停止する（ステップ２１２）。しかし、電源監視部（２２）のみは動作しているため、電源監視部（２２）は、いずれかのテレビ受信機が電源がオンになるのを待って、ＥＰＧ情報管理サーバ内の各部分への電源供給を再開する。
【００５５】
上記の如くＥＰＧ情報管理サーバ（２０）内に不揮発性メモリを持つことによって、各テレビ受信機が必ずしも不揮発性メモリを有する必要はなくなるばかりか、システム全体として不揮発性メモリの容量を低減することが可能になる。テレビ受信機が不揮発性メモリを有していない場合は、テレビ受信機の電源がオンになった時点でＥＰＧ情報管理サーバよりＥＰＧ情報を受け取るようにすればよい（後述）。ここで、不揮発性メモリは、ハードディスク等の電源をオフにしても記憶状態が継続できるような媒体に変更して構成しても構わない。
【００５６】
ＥＰＧ情報管理サーバ（２０）において、ＥＰＧ情報蓄積部（２１）を不揮発性メモリで構成するようににしても構わない。この場合、図１における不揮発性メモリ（２４）は不要となり、図２におけるステップ２０３及びステップ２１１の処理は不要となる。る。
【００５７】
次に、テレビ受信機側の動作を図３に基づいて説明する。テレビ受信機の電源がオンになると（ステップ３０１）、ＥＰＧ情報蓄蓄積部（１９）内にＥＰＧ情報を獲得する（ステップ３０２）。すなわち、メモリ（１５）として不揮発性メモリで構成されている場合は、電源オフ前に獲得されたＥＰＧ情報がこの不揮発性メモリ内に保持されていため、不揮発性メモリに記憶されているＥＰＧ情報をＥＰＧ情報記憶部（１９）にコピーする
あるいは、ＥＰＧ情報蓄積部（１９）が不揮発性メモリで構成されていても構わない。その場合、すでに電源オフ前に獲得されたＥＰＧ情報をＥＰＧ情報記憶部（１９）内に保持しているため、ステップ３０２の動作は不要となる。
【００５８】
ＥＰＧ情報記憶部（１９）内に有するＥＰＧ情報をチェックし、未獲得のＥＰＧ情報がないか確認する（ステップ３０３）。このとき、ＥＰＧ情報記憶部（１９）が揮発性メモリで構成されていて且つメモリ（１５）が不揮発性メモリで構成されていない場合には、ＥＰＧ情報記憶部（１９）には全くＥＰＧ情報が獲得されていないことになる。
【００５９】
そこで、未獲得のＥＰＧ情報がある場合は（ステップ３０３）、ＥＰＧ情報管理サーバ（２０）に未獲得のＥＰＧ情報の送信をリクエストする（ステップ３０４）。このとき、上記の如くＥＰＧ情報記憶部（１９）に全くＥＰＧ情報が獲得されていない場合は、全てのＥＰＧ情報をＥＰＧ情報管理サーバ（２０）にリクエストする。
【００６０】
このとき、必要な日時とチャンネルネットワークを指定してリクエストを行うことによって、必要なＥＰＧ情報をＥＰＧ情報管理サーバが認識できるようにする。
【００６１】
リクエストしたＥＰＧ情報がＥＰＧ情報管理サーバ（２０）内に保持されている場合は、そのＥＰＧ情報を獲得することができ（ステップ３０５）、獲得されたＥＰＧ情報はＥＰＧ情報記憶部（１９）に記憶される（ステップ３０６）。
【００６２】
一方、リクエストしたＥＰＧ情報がＥＰＧ情報管理サーバ（２０）内に保持されていない場合は、必要なＥＰＧ情報を確保することができないため、その旨のメッセージを受け取る。
【００６３】
このようにして電源オン後に、最初にＥＰＧ情報を獲得し、ＥＰＧを画面に表示して視聴或いは予約番組を選択することが可能になる。このとき、未獲得のＥＰＧ情報がある場合、その旨をＥＰＧ表示画面上に表示するようにしてもよく、そのメッセージは上記ＥＰＧ情報管理サーバ（２０）から受け取ったメッセージを表示するようにしてもかまわない。
【００６４】
このように番組を選択して、番組視聴中或いは予約待機中において（ステップ３０７）、定期的にＥＰＧ情報を放送波より受信する（ステップ３０８）。新たに受信されたＥＰＧ情報でＥＰＧ情報記憶部（１９）内の情報を更新する（ステップ３０９）。
【００６５】
このとき、受信したＥＰＧ情報と同じ放送時間、同じチャンネルネットワークの情報を新たに取得された最新の情報で上書きする。さらに、新たにＥＰＧ情報を取得した日時も同時に記憶しておくこともできる。
【００６６】
同時に、新たに取得されたＥＰＧ情報を取得日時データと共にＥＰＧ情報管理サーバ（２０）に転送し、ＥＰＧ情報管理サーバ（２０）内に記憶されているＥＰＧ情報の更新に寄与する（ステップ３１０）。
【００６７】
テレビ受信機の電源がオフされるまで（ステップ３１１）、上記放送波からのＥＰＧ情報獲得は定期的に実行され、定期的にＥＰＧ情報記憶部（１９）内のＥＰＧ情報を更新していく。この更新頻度は、放送波内におけるＥＰＧ情報の放送頻度に依存する。
【００６８】
テレビ受信機の電源がオフされると（ステップ３１１）、ＥＰＧ情報記憶部（１９）が揮発性メモリで、メモリ（１５）が不揮発性メモリの場合は、ＥＰＧ情報記憶部（１９）内のＥＰＧ情報を不揮発性メモリにコピーして電源がオフされる（ステップ３１２）。ＥＰＧ情報記憶部（１９）が不揮発性メモリで構成されている場合や、メモリ（１５）が不揮発性メモリで構成されていない場合は、ステップ３１２）は不要である。
【００６９】
ここで、上記の不揮発性メモリは、ハードディスク等の電源をオフにしても記憶状態が継続できるような媒体に変更しても差し支えない。
（実施例２）
第二の実施例は、図４に示す如く、図１の構成に加えＥＰＧ管理サーバ内にチューナ（２５）とデマルチプレクサ（ＤＥＭＵＸ）回路（２６）が設けられ、アンテナ（２７）に接続されている。従って、ＥＰＧ情報管理サーバ（２０）自身が、テレビ放送を受信してＥＰＧ情報を獲得することが可能である。このとき、アンテナ（２７）は、共聴システム用の共同アンテナでもよく、アンテナ（１）と共用しても構わない。
【００７０】
第一の実施例と同様に、各テレビ受信機がネットワークを介してＥＰＧ情報管理サーバに接続され、ＥＰＧ情報をＥＰＧ情報管理サーバにて統合的に管理する。図４では、各テレビは、夫々アンテナと接続されているが、集合住宅における共聴システムのように1本のアンテナを共有していても構わない。
【００７１】
テレビ受信機側（１０）では、アンテナ（１）は、屋外において所定の方向に向けて配置されており、デジタル放送波を受信する。このアンテナ（１）は、一般に周波数変換器を備え、受信／周波数変換した信号をチューナ（２）に与える。
【００７２】
チューナ（２）は、受信した高周波デジタル変調信号のうちから特定の周波数の信号を取り出す。すなわち、デジタル放送の複数のトランスポンダのなかから一つを選択する処理を行う。また、チューナ（２）は、復調回路、逆インターリーブ回路、誤り訂正回路などを備えることにより、選択したデジタル変調信号を復調してトランスポート・ストリームを出力する。
【００７３】
デマルチプレクサ（ＤＥＭＵＸ）（３）は、前記トランスポート・ストリームをＭＰＥＧ２（Ｍｏｖｉｎｇ  Ｐｉｃｔｕｒｅ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチムレクサ（３）は、ビデオストリームとオーディオストリームをＡＶデコーダ（４）に供給し、ＰＳＩ／ＳＩ等をシステムコントローラ（１２）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。
【００７４】
またトランスポート・ストリームの選定（トランスポンダの選定）もＰＳＩ／ＳＩの情報に基づいて行うことができる。更に、ＳＩには番組情報（番組名、番組開始時間、番組継続時間、番組内容情報、番組ジャンル情報当）が含まれている。これらの情報はシステムコントローラ（１２）によって、メモリ（１５）内のＥＰＧ情報記憶部（１９）に記憶され、ＥＰＧ表示や番組予約等において利用される。
【００７５】
映像処理回路（５）はＡＶデコーダ（４）から映像データを受け取り、Ｄ／Ａ変換を行い、例えばＮＴＳＣフォーマットのコンポジット信号に変換する。音声信号処理回路（６）はＡＶデコーダ（４）から出力された音声データを受け取り、Ｄ／Ａ変換を行い、右（Ｒ）音のアナログ信号及び左（Ｌ）音のアナログ信号を生成する。映像出力回路（７）及び音声出力回路（８）は出力抵抗、増幅器等を備え、映像出力回路（７）からは受信映像が、ＣＲＴ、液晶パネル、ＰＤＰなどのディスプレイである表示部（１１）を通じて出力され、音声出力回路（８）からはスピーカ（９）を通じて音声が出力される。
【００７６】
ＯＳＤ（オンスクリーンディスプレイ）表示回路（１３）は、システムコントローラ（１２）から出力指示された文字情報に基づく映像信号を加算器（１４）に出力する。加算器（１４）は上記映像信号を映像処理回路（５）から出力される映像信号に組み込む処理を行う。上記ＯＳＤ表示回路（１３）により、前述のＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される。
【００７７】
メモリ（例えば、ＲＡＭ、ＲＯＭ、ＥＥＰＲＯＭ、フラッシュメモリ等）（１５）には、番組情報（ＥＰＧ画面を構成するためのサービス情報等）、ユーザ入力情報、システムコントローラ（１２）により実行されるプログラム（予約処理プログラム等）、番組予約情報（開始時間、終了時間又は番組継続時間、受信チャンネル、録画／視聴の種別情報等）などが格納される。
【００７８】
リモコン送信機（１７）は、当該放送受信装置に指令を送出するための送信機である。このリモコン送信機（１７）に設けられた図示しないキーを操作すると、そのキーに対応した指令を意味する信号光（リモコン信号）が図示しない発光部から送出される。リモコン受光部（１６）は、上記信号光を受光し、これを電機信号に変換してシステムコントローラ（１２）に与える。
【００７９】
システムコントローラ（１２）は、上記リモコン送信機（１７）などによるユーザ指示に対応した各種処理を行う。
【００８０】
視聴者からの操作によりＥＰＧを表示する場合には、システムコントローラ（１２）は、ＥＰＧ情報記憶部（１９）からＥＰＧ情報を読み出し、取得できていないＥＰＧ情報があればネットワークＩ／Ｆ部（１８）を介してＥＰＧ情報管理サーバ（２０）に不足している情報がないかを問い合わせる。情報管理サーバ（２０）に所望の情報がある場合は、ネットワークＩ／Ｆ部（１８）を介してその情報を獲得し、ＥＰＧ情報記憶部（１９）に記憶する。
【００８１】
このようにして得られたＥＰＧ情報は、上記の如く、ＯＳＤ表示回路（１３）を介して表示部（１１）に表示される。
【００８２】
また、テレビ受信機において、新たにＥＰＧ情報が獲得された場合は、獲得と同時に、あるいは獲得後に所定のタイミングで（例えば1分後など）ネットワークＩ／Ｆ部（１８）を介してＥＰＧ情報をＥＰＧ情報管理サーバ（２０）に送信する。
【００８３】
一方、ＥＰＧ情報管理サーバ（２０）では、複数のテレビ受信機とネットワークＩ／Ｆ部（２５）を介して通信が可能であり、各テレビ受信機から上記の如く送られてくるＥＰＧ情報を受信してＥＰＧ情報蓄積部（２１）に記憶する。また、逆にテレビ受信機よりリクエストのあるＥＰＧ情報をＥＰＧ情報蓄積部（２１）より読み出し、ネットワークＩ／Ｆ部（２５）を介して送信する。
【００８４】
また、アンテナ（２７）は、屋外において所定の方向に向けて配置されており、デジタル放送波を受信する。このアンテナ（２７）は、一般に周波数変換器を備え、受信／周波数変換した信号をチューナ（２５）に与える。
【００８５】
チューナ（２５）は、受信した高周波デジタル変調信号のうちから特定の周波数の信号を取り出す。すなわち、デジタル放送の複数のトランスポンダのなかから一つを選択する処理を行う。また、チューナ（２５）は、復調回路、逆インターリーブ回路、誤り訂正回路などを備えることにより、選択したデジタル変調信号を復調してトランスポート・ストリームを出力する。
【００８６】
デマルチプレクサ（ＤＥＭＵＸ）（２６）は、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を抽出し、ＰＳＩ／ＳＩをシステム制御部（２３）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。またトランスポート・ストリームの選定（トランスポンダの選定）もＰＳＩ／ＳＩの情報に基づいて行うことができる。更に、ＳＩには番組情報（番組名、番組開始時間、番組継続時間、番組内容情報、番組ジャンル情報当）が含まれている。これらの情報は制御部（２３）によって、ＥＰＧ情報蓄積部（２１）に記憶され、共通情報データベースとして使用される。
【００８７】
従って、システム制御部（２３）は、定期的にチャンネルスキャンをして受信可能なチャンネルをサーチして、チャンネル設定を更新する。そこで得られた受信可能な全チャンネルに対するＥＰＧ情報が獲得できているか否かを確認するために、システム制御部（２３）はＥＰＧ情報蓄積部（２１）内に全ての受信可能なチャンネルに対するＥＰＧ情報が格納されているかどうかを定期的にチェックする。獲得されていないＥＰＧ情報がある場合、システム制御部（２３）は、ＥＰＧ情報を獲得されていないチャンネルのデータストリームを受信できるように、チューナ（２５）を用いて選局して、放送波より不足しているＥＰＧ情報を獲得する。
【００８８】
ここでいう、定期的とは、例えば1時間毎など、予め定められた時間をタイマーで計測することが可能である。
【００８９】
また、電源監視部（２２）は、各テレビ受信機の電源状態を監視し、全てのテレビ受信機が電源オフとなった場合に、ＥＰＧ情報蓄積部（２１）から全ＥＰＧ情報を読み出して不揮発性メモリ（２４）に書き込み、テレビ受信機の電源状態監視に不要な部分への電力供給をオフにする。
【００９０】
具体的には、システム制御部（２３）がネットワークＩ／Ｆ部（２５）とテレビ受信機側のネットワークＩ／Ｆ部（１８）との信号応答をチェックし、リンクが全く確立されていない場合は、電源監視部（２２）において、全てのテレビ電源がオフであると判断する。全てのテレビの電源がオフであると判断されると、電源監視部（２２）以外への電力供給をオフにし、間欠的にシステム制御部（２３）とネットワークＩ／Ｆ部（２５）に電力供給し、テレビ受信機側のネットワークＩ／Ｆ部（１８）との信号応答をチェックする。これにより、ＥＰＧ情報管理サーバ内の消費電力を削減するここができる。
【００９１】
或いは、電源監視部（２２）が、直接各テレビ受信機と接続される電源監視ラインを設けて、各テレビ受信機の電源状態を監視するようにしても構わない。この場合、全てのテレビ受信機の電源がオフであると判断されると、ＥＰＧ情報管理サーバ内の電源監視部（２２）以外の全ての部分への電力供給を停止する。そして、いずれかのテレビ受信機の電源がオンになった場合に電力供給を再開するようにする。
【００９２】
システム制御部（２３）は、上記の動作を制御し、テレビ受信機の電源がオンになった場合には、直に電源監視部にネットワークＩ／Ｆ部（２５）、ＥＰＧ情報蓄積部（２１）、不揮発性メモリ（２４）に対する電源供給を開始すると同時に、不揮発メモリ（２４）に記憶されているＥＰＧ情報をＥＰＧ情報蓄積部（２１）にコピーする。
【００９３】
次にＥＰＧ情報管理サーバの動作に関して、図５を用いて説明する。ＥＰＧ情報管理サーバでは、初期状態において、ＥＰＧ情報蓄積部（２１）には何もＥＰＧ情報が蓄積されていない。
【００９４】
ＥＰＧ情報管理サーバ（２０）は、システム制御部（２３）内に時計部を有しており、予め定められた所定の時間になると（ステップ５２０）、システム制御部（２３）はチューナ（２５）を用いてチャンネルサーチを行って（ステップ５２１）、受信可能なチャンネルのチャンネル設定を行う（ステップ５２２）。
【００９５】
このとき予め定められた所定の時間とは、いかなる時間でもよく、ＥＰＧ情報管理サーバの管理者が設定できるようにしてもよいし、工場出荷時に指定しておいてもよい。指定される時間は1日に何回あっても構わない。また、時計機能を使用せずに、システム制御部内にタイマを設けて、一定の時間間隔（例えば1時間毎）などに設定してもよい。
【００９６】
所定時間になっていない場合は（ステップ５２０）、ＥＰＧ情報管理サーバ（２０）の電源がオフされない限りはこの動作を繰り返す。
【００９７】
この動作と並行して、ネットワーク接続されている少なくともどれか一つのテレビ受信機が電源オンされると（ステップ５０１）、ＥＰＧ管理サーバ内の各部への電力供給が開始され（ステップ５０２）。不揮発性メモリ（２４）に記憶されている電力供給オフ直前のＥＰＧ情報をＥＰＧ情報蓄積部（２２）にコピーする（ステップ５０３）。次に、テレビ受信機がEPG情報を取得すると、ネットワークＩ／Ｆ（１８）（２５）を介してそのテレビ受信機からＥＰＧ情報が転送されてくる（ステップ５０４）。ＥＰＧ情報蓄積部（２１）では、転送されてきた情報で、既にＥＰＧ情報蓄積部（２１）に蓄積されているＥＰＧ情報の更新を行う（ステップ５０５）。
【００９８】
このとき、既に蓄積されているデータと転送されてきたデータの日付を比較し、転送されてきたデータの方が新しい場合は、転送されてきたデータで蓄積されているデータを更新する。同じ日時、チャンネルネットワークのＥＰＧ情報が転送されてきた場合は、古いデータを削除し、新しいデータを記憶する。ただし、新しいデータと古いデータが全く同じである場合、例えば各々のデータに付与されたＣＲＣが完全に一致する場合等は、このような削除・登録動作は行わなくても構わない。転送されてきたデータの方が蓄積されているデータより古い場合は、データの更新を行わない。番組の編成は、しばしば変更されることがあり、新しいデータの方が最新のデータである。
【００９９】
ここで、ＥＰＧデータに関する日時は、放送データに日時が含まれている場合は放送されてきた日時であっても構わないし、そうでない場合は、テレビ受信機がＥＰＧデータを獲得した日時であっても構わない。
【０１００】
また、テレビ受信機がＥＰＧを表示するために必要なＥＰＧ情報を要求してくる場合があり、ＥＰＧ情報の要求があった場合は（ステップ５０６）、要求された日時、チャンネルネットワークに該当するＥＰＧ情報がＥＰＧ情報管理サーバ内にあるかどうか確認をし（ステップ５０７）、ある場合は所望のＥＰＧ情報を、ＥＰＧ情報蓄積部から読み出して（ステップ５０８）、ＥＰＧ情報を要求してきたテレビ受信機に送信する（ステップ５０９）。
【０１０１】
一方、所望のＥＰＧ情報を所有していない場合は（ステップ２０７）、その旨をテレビ受信機に対して通知する
さらに、システム制御部（２３）内にタイマーを有し、タイマーによる計時で所定の時間（例えば1時間）が経過し（ステップ５１０）、ＥＰＧ情報蓄積部内に未獲得のＥＰＧ情報があるかどうかを調べる（ステップ５１１）。すなわち、上記チャンネル設定で設定された各受信可能チャンネルのＥＰＧ情報が獲得されているかどうかを調べる。
【０１０２】
未獲得のＥＰＧ情報が有る場合は（ステップ５１１）、タイマーをリセットし（ステップ５１２）、チューナ（２５）に未獲得のＥＰＧ情報のチャンネルに選局して（ステップ５１３）、受信された放送波よりＥＰＧ情報を獲得する（ステップ５１４）。獲得されたＥＰＧ情報は、ＥＰＧ情報蓄積部（２１）に格納される（ステップ５１５）。受信可能な全チャンネルのＥＰＧ情報が獲得されるまでステップ５１１からステップ５１５までの処理が繰り返される。
【０１０３】
タイマーの計時で所定の時間（例えば1時間）が経過していない場合は（ステップ５１１）は、ステップ５１１からステップ５１５までの処理は実行されない。すなわち、ステップ５１１からステップ５１５までの処理は所定時間間隔（例えば１時間毎）に繰り返されることになる。
【０１０４】
次に、本ＥＰＧ情報管理サーバ（２０）の電源をオフにすれば（ステップ５１６）、動作を停止し（ステップ５２３）、電源をオフにしない場合は（ステップ５１６）、ネットワークに接続されている全てのテレビ受信機の電源がオフになっているかどうかを電源監視部（２２）によって確認する（ステップ５１７）。
【０１０５】
全てのテレビ受信機の電源がオフになった場合（ステップ５１７）、ＥＰＧ情報蓄積部（２１）に記憶されているＥＰＧ情報は、不揮発性メモリ（２４）に書き込まれ（ステップ５１８）、ＥＰＧ情報管理サーバ内の電源監視部（２２）及びシステム制御部内の時計機能を除く全ての部分への電源供給を停止する（ステップ５１９）。しかし、電源監視部（２２）のみは動作しているため、電源監視部（２２）は、いずれかのテレビ受信機が電源がオンになるのを待って、ＥＰＧ情報管理サーバ内の各部分への電源供給を再開する。
【０１０６】
上記の如くＥＰＧ情報管理サーバ（２０）内に不揮発性メモリを持つことによって、各テレビ受信機が必ずしも不揮発性メモリを有する必要はなくなるばかりか、システム全体として不揮発性メモリの容量を低減することが可能になる。テレビ受信機が不揮発性メモリを有していない場合は、テレビ受信機の電源がオンになった時点でＥＰＧ情報管理サーバよりＥＰＧ情報を受け取るようにすればよい（後述）。ここで、不揮発性メモリは、ハードディスク等の電源をオフにしても記憶状態が継続できるような媒体に変更して構成しても構わない。
【０１０７】
ＥＰＧ情報管理サーバ（２０）において、ＥＰＧ情報蓄積部（２１）を不揮発性メモリで構成するようににしても構わない。この場合、図１における不揮発性メモリ（２４）は不要となり、図５におけるステップ５０３及びステップ５１８の処理は不要となる。る。
【０１０８】
また、時計機能を動作させておくことで、所定時間になった時点で、チューナ（２５）及びシステム制御部（２３）に電力供給することで、ステップ５２０からステップ５２２のチャンネル設定の処理を定期的に実行することができる。
【０１０９】
テレビ受信機側の動作は第一の実施例と同じであり、図３に示す通りとなる。
（実施例３）
第三の実施例は、図６に示す如く、図２の構成と同様にＥＰＧ管理サーバ内にチューナ（２５）とデマルチプレクサ（ＤＥＭＵＸ）回路（２６）が設けられ、アンテナ（２７）に接続されている。従って、ＥＰＧ情報管理サーバ（２０）自身が、テレビ放送を受信してＥＰＧ情報を獲得することが可能である。このとき、アンテナ（２７）は、共聴システム用の共同アンテナでもよく、アンテナ（１）と共用しても構わない。
【０１１０】
第二の実施例と同様に、各テレビ受信機がネットワークを介してＥＰＧ情報管理サーバに接続され、ＥＰＧ情報をＥＰＧ情報管理サーバにて統合的に管理する。図６では、各テレビは、夫々アンテナと接続されているが、集合住宅における共聴システムのように1本のアンテナを共有していても構わない。
【０１１１】
テレビ受信機側（１０）では、アンテナ（１）は、屋外において所定の方向に向けて配置されており、デジタル放送波を受信する。このアンテナ（１）は、一般に周波数変換器を備え、受信／周波数変換した信号をチューナ（２）に与える。
【０１１２】
チューナ（２）は、受信した高周波デジタル変調信号のうちから特定の周波数の信号を取り出す。すなわち、デジタル放送の複数のトランスポンダのなかから一つを選択する処理を行う。また、チューナ（２）は、復調回路、逆インターリーブ回路、誤り訂正回路などを備えることにより、選択したデジタル変調信号を復調してトランスポート・ストリームを出力する。
【０１１３】
デマルチプレクサ（ＤＥＭＵＸ）（３）は、前記トランスポート・ストリームをＭＰＥＧ２（Ｍｏｖｉｎｇ  Ｐｉｃｔｕｒｅ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチムレクサ（３）は、ビデオストリームとオーディオストリームをＡＶデコーダ（４）に供給し、ＰＳＩ／ＳＩ等をシステムコントローラ（１２）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。
【０１１４】
またトランスポート・ストリームの選定（トランスポンダの選定）もＰＳＩ／ＳＩの情報に基づいて行うことができる。
【０１１５】
映像処理回路（５）はＡＶデコーダ（４）から映像データを受け取り、Ｄ／Ａ変換を行い、例えばＮＴＳＣフォーマットのコンポジット信号に変換する。音声信号処理回路（６）はＡＶデコーダ（４）から出力された音声データを受け取り、Ｄ／Ａ変換を行い、右（Ｒ）音のアナログ信号及び左（Ｌ）音のアナログ信号を生成する。映像出力回路（７）及び音声出力回路（８）は出力抵抗、増幅器等を備え、映像出力回路（７）からは受信映像が、ＣＲＴ、液晶パネル、ＰＤＰなどのディスプレイである表示部（１１）を通じて出力され、音声出力回路（８）からはスピーカ（９）を通じて音声が出力される。
【０１１６】
ＯＳＤ（オンスクリーンディスプレイ）表示回路（１３）は、システムコントローラ（１２）から出力指示された文字情報に基づく映像信号を加算器（１４）に出力する。加算器（１４）は上記映像信号を映像処理回路（５）から出力される映像信号に組み込む処理を行う。上記ＯＳＤ表示回路（１３）により、前述のＰＳＩに含まれるサービス情報に基づく各種の情報及びＥＰＧ情報管理サーバ（２０）より獲得されるＥＰＧ情報の画面表示が実現される。
【０１１７】
メモリ（例えば、ＲＡＭ、ＲＯＭ、ＥＥＰＲＯＭ、フラッシュメモリ等）（１５）には、ＥＰＧ情報管理サーバ（２０）より得られる番組情報（ＥＰＧ画面を構成するためのサービス情報等）を一時記憶したり、ユーザ入力情報、システムコントローラ（１２）により実行されるプログラム（予約処理プログラム等）、番組予約情報（開始時間、終了時間又は番組継続時間、受信チャンネル、録画／視聴の種別情報等）などが格納される。
【０１１８】
リモコン送信機（１７）は、当該放送受信装置に指令を送出するための送信機である。このリモコン送信機（１７）に設けられた図示しないキーを操作すると、そのキーに対応した指令を意味する信号光（リモコン信号）が図示しない発光部から送出される。リモコン受光部（１６）は、上記信号光を受光し、これを電機信号に変換してシステムコントローラ（１２）に与える。
【０１１９】
システムコントローラ（１２）は、上記リモコン送信機（１７）などによるユーザ指示に対応した各種処理を行う。
【０１２０】
視聴者からの操作によりＥＰＧを表示する場合には、システムコントローラ（１２）は、ネットワークＩ／Ｆ部（１８）を介して、ＥＰＧ情報管理サーバ（２０）内に保存されたＥＰＧ情報を参照する。このようにして得られたＥＰＧ情報は、上記の如く、ＯＳＤ表示回路（１３）を介して表示部（１１）に表示される。
【０１２１】
一方、ＥＰＧ情報管理サーバ（２０）では、ＥＰＧ情報が統括保持されており、複数のテレビ受信機がネットワークＩ／Ｆ部（２５）を介してこのＥＰＧ情報を参照する。
【０１２２】
また、アンテナ（２７）は、屋外において所定の方向に向けて配置されており、デジタル放送波を受信する。このアンテナ（２７）は、一般に周波数変換器を備え、受信／周波数変換した信号をチューナ（２５）に与える。
【０１２３】
チューナ（２５）は、受信した高周波デジタル変調信号のうちから特定の周波数の信号を取り出す。すなわち、デジタル放送の複数のトランスポンダのなかから一つを選択する処理を行う。また、チューナ（２５）は、復調回路、逆インターリーブ回路、誤り訂正回路などを備えることにより、選択したデジタル変調信号を復調してトランスポート・ストリームを出力する。
【０１２４】
デマルチプレクサ（ＤＥＭＵＸ）（２６）は、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を抽出し、ＰＳＩ／ＳＩをシステム制御部（２３）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。またトランスポート・ストリームの選定（トランスポンダの選定）もＰＳＩ／ＳＩの情報に基づいて行うことができる。更に、ＳＩには番組情報（番組名、番組開始時間、番組継続時間、番組内容情報、番組ジャンル情報当）が含まれている。これらの情報は制御部（２３）によって、ＥＰＧ情報蓄積部（２１）に記憶され、共通情報データベースとして使用される。
【０１２５】
従って、システム制御部（２３）は、定期的に放送波をチェックして、全ＥＰＧ情報を獲得しＥＰＧ情報蓄積部（２１）に保持して、常に最新のＥＰＧ情報を保持する。受信可能なチャンネルをサーチして、チャンネル設定を更新する。
【０１２６】
ここでいう、定期的とは、例えば1時間毎など、予め定められた時間をタイマーで計測することが可能である。
【０１２７】
また、電源監視部（２２）は、各テレビ受信機の電源状態を監視し、全てのテレビ受信機が電源オフとなった場合に、ＥＰＧ情報蓄積部（２１）から全ＥＰＧ情報を読み出して不揮発性メモリ（２４）に書き込み、テレビ受信機の電源状態監視に不要な部分への電力供給をオフにする。
【０１２８】
具体的には、システム制御部（２３）がネットワークＩ／Ｆ部（２５）とテレビ受信機側のネットワークＩ／Ｆ部（１８）との信号応答をチェックし、リンクが全く確立されていない場合は、電源監視部（２２）において、全てのテレビ電源がオフであると判断する。全てのテレビの電源がオフであると判断されると、電源監視部（２２）以外への電力供給をオフにし、間欠的にシステム制御部（２３）とネットワークＩ／Ｆ部（２５）に電力供給し、テレビ受信機側のネットワークＩ／Ｆ部（１８）との信号応答をチェックする。これにより、ＥＰＧ情報管理サーバ内の消費電力を削減するここができる。
【０１２９】
或いは、電源監視部（２２）が、直接各テレビ受信機と接続される電源監視ラインを設けて、各テレビ受信機の電源状態を監視するようにしても構わない。この場合、全てのテレビ受信機の電源がオフであると判断されると、ＥＰＧ情報管理サーバ内の電源監視部（２２）以外の全ての部分への電力供給を停止する。そして、いずれかのテレビ受信機の電源がオンになった場合に電力供給を再開するようにする。
【０１３０】
システム制御部（２３）は、上記の動作を制御し、テレビ受信機の電源がオンになった場合には、直に電源監視部にネットワークＩ／Ｆ部（２５）、ＥＰＧ情報蓄積部（２１）、不揮発性メモリ（２４）に対する電源供給を開始すると同時に、不揮発メモリ（２４）に記憶されているＥＰＧ情報をＥＰＧ情報蓄積部（２１）にコピーする。
【０１３１】
また、上記電源オフ中にタイマーで定期的にチューナ（２５）、ＤＥＭＵＸ（２６）、システム制御部（２３）を立ち上げてＥＰＧ情報を更新するようにすることもできる。
【０１３２】
次にＥＰＧ情報管理サーバの動作に関して、図７を用いて説明する。ＥＰＧ情報管理サーバでは、初期状態において、ネットワーク接続されている少なくともどれか一つのテレビ受信機が電源オンされると（ステップ７０１）、ＥＰＧ管理サーバ内の各部への電力供給が開始され（ステップ７０２）。不揮発性メモリ（２４）に記憶されている電力供給オフ直前のＥＰＧ情報をＥＰＧ情報蓄積部（２２）にコピーする（ステップ７０３）。
【０１３３】
ここで、テレビ受信機がＥＰＧを表示するために必要なＥＰＧ情報を参照するためにアクセスしてくることがある（ステップ７０７）。アクセスがあれば、ＥＰＧ情報蓄積部（２１）からＥＰＧ情報を読み出し（ステップ７０８）、ＥＰＧ情報をそのテレビ受信機に送信する（ステップ７０９）。
【０１３４】
同時に、アンテナ（２７）、チューナ（２５）によりテレビ放送波を受信し（ステップ７０４）、システム制御部（２３）ではＤＥＭＵＸ（２６）にて選別されたＰＳＩ／ＳＩデータからＥＰＧ情報を抽出し（ステップ７０５）、抽出できたＥＰＧ情報でＥＰＧ情報蓄積部（２１）に保持されているＥＰＧ情報を更新する（ステップ７０６）。このとき、ＥＰＧ情報を獲得する放送チャンネルは随時変更する。例えば、チャンネルスキャンをしながらＥＰＧ情報を得るようにしても構わない。
【０１３５】
テレビ受信機（１０）からのアクセスがない場合（ステップ７０７）、ＥＰＧ情報を獲得できなかった場合（ステップ７０５）、獲得したＥＰＧ情報でＥＰＧ情報蓄積部（２１）を更新した場合（ステップ７０６）、全てのテレビ受信機の電源がオフにならなければ（ステップ７１０）、ステップ７０４からステップ７０９の処理を繰り返す。
【０１３６】
一方、全てのテレビ受信機の電源がオフになった場合（ステップ７１０）、ＥＰＧ情報蓄積部（２１）に記憶されているＥＰＧ情報は、不揮発性メモリ（２４）に書き込まれ（ステップ７１１）、ＥＰＧ情報管理サーバ内の電源監視に不要な部分への電源供給を停止する（ステップ７１２）。しかし、ここで、システム制御部内のタイマーをリセットし、スタートさせる（ステップ７１３）。
【０１３７】
タイマーにより所定時間が経過した場合（ステップ７１４）、ＥＰＧ情報管理サーバの電源をオンにして、アンテナ（１）、チューナ（２５）によりテレビ放送波を受信し（ステップ７１５）、システム制御部（２３）ではデマルチプレクサ（ＤＥＭＵＸ）（２６）にて選別されたＰＳＩ／ＳＩデータからＥＰＧ情報を抽出し（ステップ７１６）、抽出できたＥＰＧ情報をＥＰＧ情報蓄積部（２１）に格納し（ステップ７１７）、新しく得られたＥＰＧ情報で不揮発性メモリに保持されているＥＰＧ情報を更新する（ステップ７１１）。このとき、ＥＰＧ情報を獲得する放送チャンネルは随時変更する。例えば、チャンネルスキャンをしながらＥＰＧ情報を得るようにしても構わない。
【０１３８】
タイマーにより所定時間が経過していない場合（ステップ７１４）、ＥＰＧ情報が獲得できなかった場合は（ステップ７１６）、ネットワーク接続されているテレビ受信機の電源がオンになっていないか確認し、オンになっていなければ（ステップ７０１）、ステップ７１４からステップ７１７の動作を繰り返す。テレビ受信機の電源がオンになれば（ステップ７０１）、ステップ７０２からステップ７１７までの動作を繰り返す。
【０１３９】
ここで、上記の所定の時間とは、例えば１時間に設定することができるが、これに限定されるものではなく、テレビ放送波によってＥＰＧ情報が送信される間隔よりも長くない間隔であればいかなる時間間隔であっても構わない。
【０１４０】
また、ＥＰＧ情報管理サーバ（２０）内に不揮発性メモリを持つことによって、各テレビ受信機が必ずしも不揮発性メモリを有する必要はなくなるばかりか、システム全体として不揮発性メモリの容量を低減することが可能になる。テレビ受信機が不揮発性メモリを有していない場合は、テレビ受信機の電源がオンになった時点でＥＰＧ情報管理サーバよりＥＰＧ情報を受け取るようにすればよい（後述）。ここで、不揮発性メモリは、ハードディスク等の電源をオフにしても記憶状態が継続できるような媒体に変更して構成しても構わない。
【０１４１】
ＥＰＧ情報管理サーバ（２０）において、ＥＰＧ情報蓄積部（２１）を不揮発性メモリで構成するようににしても構わない。この場合、図６における不揮発性メモリ（２４）は不要となり、図７におけるステップ７０３及びステップ７１１の処理は不要となる。る。
【０１４２】
テレビ受信機側の動作は、第一の実施例や第二の実施例とは異なり、テレビ受信機がＥＰＧ情報を放送波から獲得する必要がないため、図８に示す通りとなる。
【０１４３】
すなわち電源がオンされると（ステップ８０１）、ＥＰＧ情報管理サーバ（２０）にアクセスし（ステップ８０２）、ＥＰＧ情報を獲得する（ステップ８０３）。獲得されたＥＰＧ情報を表示し（ステップ８０４）、ＥＰＧを使って視聴あるいは予約を行う（ステップ８０５）。従って、第三の実施例では、テレビ受信機においてＥＰＧ情報保存用のメモリも必ずしも有している必要はない。
【図面の簡単な説明】
【０１４４】
【図１】第一の実施例のブロック図
【図２】第一の実施例のＥＰＧ情報管理サーバにおけるフローチャート
【図３】第一の実施例のテレビ受信機におけるフローチャート
【図４】第二の実施例のブロック図
【図５】第二の実施例のＥＰＧ情報管理サーバにおけるフローチャート
【図６】第三の実施例のブロック図
【図７】第三の実施例のＥＰＧ情報管理サーバにおけるフローチャート
【図８】第三の実施例のテレビ受信機におけるフローチャート
【図９】従来技術のブロック図
【符号の説明】
【０１４５】
１            アンテナ
２             チューナ
３             デマルチプレクサ
４             ＡＶデコーダ
５             映像処理回路
６             音声処理回路
７             映像出力回路
８             音声出力回路
９             スピーカ
１０           テレビ受信機
１１           表示部
１２           システムコントローラ
１３           ＯＳＤ表示回路
１４           加算器
１５           メモリ
１６           リモコン受光部
１７           リモコン送信機
１８           ネットワークＩ／Ｆ部
１９           ＥＰＧ情報記憶部
２０           ＥＰＧ情報管理サーバ
２１           ＥＰＧ情報蓄積部
２２           電源監視部
２３           システム制御部
２４           不揮発性メモリ
２５           ネットワークＩ／Ｆ部
２６           デマルチプレクサ
２７           アンテナ
【図１】
2005167664.tif 000003
【図２】
2005167664.tif 000004
【図３】
2005167664.tif 000005
【図４】
2005167664.tif 000006
【図５】
2005167664.tif 000007
【図６】
2005167664.tif 000008
【図７】
2005167664.tif 000009
【図８】
2005167664.tif 000010
【図９】
2005167664.tif 000011